(57)【要約】      （修正有）【課題】特有の質感が施されながら、軽量であり、複数個の効率的な製造を比較的容易かつ安価に行なうことのできる額装品を提供する。【解決手段】平坦な基材面を有した基材板１と、下地面に凸模様または凹凸模様が施された下地紙２と、基材面よりも一回り小さい印画面に観賞用画像が焼付け又は印画された印画紙３とが表側へ向かって順に貼合され、さらに印画面の周囲に表出した部分へ、厚手の塗装による額縁塗装部５が形成される。印画紙３には、前記下地紙２の表面への貼り付けによって、下地紙２の凸模様または凹凸模様の表出形状に部分追従した微小膨出部３１が押し上げ形成される。【選択図】図３
2009273734.tif 000002
【特許請求の範囲】
【請求項１】
表面に平坦な基材面を有した基材板１と、下地面を有してそこに凸模様または凹凸模様２１が施された下地紙２と、基材面よりも一回り小さい印画面に観賞用画像が焼付け又は印画された印画紙３とが順に貼合され、
印画紙３の周囲かつ基材板１の少なくとも表面側に、厚塗り塗装による額縁塗装部５が形成されてなる額装品であって、
前記印画紙３の印画面には、下地紙２の凸模様または凹凸模様の表出形状に部分追従した微小膨出部３１が押し上げ形成されてなることを特徴とする額装品。
【請求項２】
基材板１は、表面に木目を有さない集成木材からなり、下地紙２は、白系色の壁紙又はふすま紙からなる請求項１記載の額装品。
【請求項３】
印画面からその周囲の額縁塗装部５までの表面全体に亘って一体的に表層塗膜４２が形成され、この表層塗膜４２が、印画面及び額縁塗装部５の表出形状に追従して表面の最上層を構成してなる請求項１または２記載の額装品。
【請求項４】
額縁塗装部５は、砂石粒子が練り込まれた塗料の額縁塗装によって、不定形或いは不定大の砂石粒５１が不定位置に塗色表出したものである請求項１、２、または３のいずれか記載の額装品。
【請求項５】
額縁塗装部５の塗布背部から、額縁塗装部５と印画紙３との境界部、及び印画紙３の印画面までに亘って一体的に、表層塗膜４２よりも内部に位置する内部塗膜４１が形成されてなる請求項１ないし４のいずれか記載の額装品。
【請求項６】
基材板１と下地紙２、下地紙２と印画紙３をそれぞれ接着剤で貼合する貼合工程と、
貼合工程後の表面へ、透明塗料を２回以上噴霧塗装することで第一塗膜厚さの内部塗膜４１を一体的に形成する内部塗膜形成工程と、
塗膜形成工程後の印画面をマスキングしてマスキング縁から外周側の額縁部分を塗り塗装することで額縁塗装部５を形成する額縁塗装部形成工程と、
額縁塗装部形成工程後にマスキングを解除した印画面からその周囲の額縁部の少なくとも表面部分に亘って透明塗料を２回以上噴霧塗装することで、第一塗膜厚さよりも厚い第二塗膜厚さの表層塗膜４２を一体的に形成する表層塗膜形成工程とを順に具備することを特徴とする請求項１ないし５のいずれか記載の額装品の製造方法。
【発明の詳細な説明】
【技術分野】
【０００１】
本発明は絵画、版画、或いは写真といった平面画の美術鑑賞物の額装品に関する。
【背景技術】
【０００２】
絵画を焼付け、印画してなる美術陶板は、変色・褪色の少ないことのみならず、絵画や版画の原画とは異なる独特の発色と質感を有したものとして知られる。
【０００３】
従来、美術陶板を額縁に装飾収容した額縁収納陶板として、陶板を、額縁の回り縁の嵌め込み部に嵌められる裏板の全面略中央に、接着剤でもって接着したものが開示される（例えば、特許文献１参照）。
【０００４】
この額縁収納陶板において、裏板に接着された陶板の接着界面の周りには、陶板の外形にぴったりの窓を開けたマスクが裏板上に重ねられる。また更に、このマスクの上面には、陶板の外形寸法より僅かに大きい内径寸法で、且つ、その周りが傾斜面の窓縁とした窓を開けた化粧マスクが貼り合わせられる。
【特許文献１】実用新案登録第３０５１４２４号公報
【発明の開示】
【発明が解決しようとする課題】
【０００５】
しかしながら上記のような美術陶板の額縁収納物は、重量物である陶板を保持すべく額縁も強固な構造体となるため、重量が嵩んで取り扱い難く、壁に吊るす際には壁の補強といった耐被吊能力も必要とされていた。
【０００６】
またそもそも美術陶板はその作成に大きな設備と高度な焼付け技術が必要となるため、良好な質感、発色が施された陶板を量産することは困難であり、製作された一個品自体も高価なものになる。
【０００７】
このような取り扱いの困難さ、量産製造の困難さは、美術陶板以外の美術観賞用の平面製作物にも共通する課題である。
【０００８】
そこで本発明は、特有の質感と発色が施された印画面を有していながら、軽量であり、またその作成に大きな設備と高度な焼付け技術を要さず、複数個の効率的な製造が比較的容易、または安価に行なうことのできる額装品を提供することを課題とする。
【課題を解決するための手段】
【０００９】
本発明は上記課題を解決すべく（１）〜（６）の手段を講じている。
【００１０】
（１）すなわち、本発明の額装品は、
表面に平坦な基材面を有した基材板１と、基材面と同じであるか又は一回り小さい下地面に凸模様または凹凸模様が施された下地紙２と、基材面よりも一回り小さい印画面に観賞用画像が焼付け又は印画された印画紙３とが表側へ向かって順に貼合され、
印画面の周囲に表出した部分であって少なくとも表面に印画紙３厚さよりも厚手の塗装による額縁塗装部５が形成されることで、
観賞用印画部分と額縁部分とが一体的に形成された額装品である。
そして前記印画紙３には、前記下地紙２の表面への貼り付けによって、下地紙２の凸模様または凹凸模様の表出形状に部分追従した微小膨出部３１が押し上げ形成されてなることを特徴とする。
【００１１】
このようなものであれば、印画面には自然な風合いの微小膨出部３１が形成され、画布、窯焼き陶板、或いは版画地に似て非なる表出画となる。これにより、表面が平坦な印画紙３を額装したものでありながら、特殊技法で実際に描画、焼付けあるいは版画したかのような、独特な風合いを醸し出した額装品を得ることができる。印画面として複製画を用いるほか、プリンターによる画像データの印画や雑誌、記事に含まれる印刷画を用いることで、特殊な質感の美術用額装品を得ることができる。
【００１２】
（２）前記額装品において、基材板１は、表面に木目を有さない集成木材からなり、下地紙２は、白色無地の壁紙又はふすま紙からなることが好ましい。
【００１３】
集成木材や壁紙・ふすま紙を使用することで、木綿キャンバス地や画布、あるいは陶板といった美術用画材を用いることなく、質感のある美術用額装品を、より容易且つ安価に得ることができる。
【００１４】
また、下地紙２や印画紙３を接着剤ａで貼合することで、貼合下面から色模様が透過したり、表出画が暗色化したりする場合がある。この点上記のものであれば、印画紙３に木目や色模様が透けて印画面に移ることがなく、色模様の透過や暗色化を防ぐことができる。
【００１５】
（３）前記いずれかの額装品において、印画面からその周囲の額縁塗装部５の表画面までに及ぶ表面全体に亘って一体的に透明の表層塗膜４２が形成されてなり、この表層塗膜４２が、印画面及び額縁塗装部５の表出形状に追従して表面の最上層を構成してなるることが好ましい。
【００１６】
このようなものであれば、表面全体に艶が生じ、印画面の色合いが柔らかなものとなるとともに、微小膨出部３１と相俟って自然な陶版画の表面となる。また表装塗膜４２が印画面を厚く保護するため、経年劣化しにくいものとなる。
【００１７】
（４）前記いずれかの額装品において、額縁部分に構成される額縁塗装部５は、砂石粒子が練り込まれた塗料の額縁塗装によって、不定形或いは不定大の砂石粒５１が不定位置に塗色表出したものであることが好ましい。
【００１８】
なおここでいう不定形、不定大、不定位置とは形、大きさ、位置が全体にわたって規則化せず不均一であり、ランダムに異なったものが混在することを意味する。
【００１９】
砂石粒子は任意の大きさで塊状凝塊するか又は粒状群のままで塗布面に不均一に広がり、凝塊形状又は粒形状の砂石粒５１として、厚手の塗料と共に塗色されて表出する。このような砂石粒子が練り込まれた塗料で額縁塗装することで、額縁様をするための特別な加工を施すことなく、厚手に塗るだけで容易に粗い自然岩や天然岩のような風合いや質感が施される。
【００２０】
（５）前記いずれかの額装品において、額縁塗装部５の塗布背部から、額縁塗装部５と印画紙３の境界部である額縁内縁、及び印画紙３の印画面までに亘って一体的に、表層塗膜４２よりも内側に位置する透明の内部塗膜４１が形成されてなることが好ましい。
【００２１】
この内部塗膜４１によって貼合後の印画紙３の端部を含む表面全体をコーティングすることで、額縁塗装などのその後の工程において、印画紙３の端部からの剥がれを防いだり、印画紙３と下地紙２の間への額縁塗装材の染込み、滲みを防いだりすることができる。さらにその後にマスキングを施す場合には、印画紙３の印画表面を保護することで、マスキング材を剥がす際の印画表面の凝集破壊や傷付きを防ぐことができる。
【００２２】
内部塗膜４１は例えば、下地紙２と印画紙３の貼合時かつ額縁塗装部５の形成前の表面全体に亘って、下処理用のツヤ消し透明塗料を微細粒子として噴霧することで得られる。
【００２３】
その後、印画面をマスキングした上で刷毛塗装によって額縁塗装部５を形成し、さらに額縁塗装部５から印画面に形成した内部塗膜の表面に亘って、表層塗膜を一体的に形成する。これにより、額装品の表面部分のうち、印画紙３の印画面では内部塗膜４１と表層塗膜４２とが隣接して積層形成され、額縁部分では両層（４１、４２）が額縁塗装部５を背表面それぞれの側から挟むようにして覆囲形成される。この覆囲形成によって額縁塗装部５を全体にコーティングすることで、額縁塗装部５が印画紙３の裏面や下地紙２の裏面への滲みを防ぐことができる。また額縁塗装部５を剥離、欠損が生じにくいものにしうる。
【００２４】
（６）また、本発明の額装品の製造方法は、前記いずれか記載の額装品の製造方法であって、
基材板１と下地紙２、下地紙２と印画紙３をそれぞれ接着剤で貼合する貼合工程と、
貼合工程後の表面へ、透明塗料を２回以上噴霧塗装することで第一塗膜厚さの内部塗膜４１を一体的に形成する内部塗膜形成工程と、
塗膜形成工程後の印画面をマスキングしてマスキング縁から外周側の額縁部分を塗り塗装することで額縁塗装部５を形成する額縁塗装部形成工程と、
額縁塗装部形成工程後にマスキングを解除した印画面からその周囲の額縁部の少なくとも表面部分に亘って透明塗料を２回以上噴霧塗装することで、第一塗膜厚さよりも厚い第二塗膜厚さの表層塗膜４２を一体的に形成する表層塗膜形成工程とを順に具備することを特徴とする。
【発明の効果】
【００２５】
上記手段を講じることで、美術陶板や原画と一部共通するような特有の質感が施された印画面を有しながら、軽量であり、またその作成に大きな設備や高度な技術を要さず、複数個の効率的な製造を比較的容易に、かつ安価に行なうことのできる額装品を提供しうるものとなった。
【発明を実施するための最良の形態】
【００２６】
以下、本発明の最良の形態例を、実施例として示す各図と共に説明する。図１は実施例１の額装品の表面を斜め側方から見た表面斜視図、図２は実施例１の額装品の裏面を斜め側方から見た背面斜視図、図３は額縁部分を中心として断面構造を示す部分拡大断面図、図４は製造工程のうち貼合工程を説明する分解斜視図、図５は各製造工程を示す製造方法説明図である。
【００２７】
本発明の額装品は、絵画を複写或いはプリントアウトした描画紙や、写真用台紙に焼付け又は印画した写真を用いたものであり、印画面からなる観賞用の印画部分と、これを額装する額縁部分とが一体的に形成されて、陶板等の美術原品風の質感を有する。
【００２８】
基本的な構成として、貼合工程において表面に平坦かつ平滑な基材面を有した基材板１と、基材面と同じであるか又は一回り小さい下地面を有した下地紙２と、基材面よりも一回り小さい印画面を有した印画紙３とが表側へ向かって順に貼合されてなる（図４、図５（ア）（イ））。
【００２９】
またその後の額縁塗装部形成工程において、印画面の周囲に表出した部分であって少なくとも表面部分に、印画紙３の厚さと同程度以上の厚手の塗装による額縁塗装部５が形成されてなる（図５（カ）（キ））。
【００３０】
そしてこれら額縁塗装部５の少なくとも表面側と印画面からなる表面全面に亘って一体的に、透明かつ厚手の表層塗膜４２が形成されてなる（図５（ク））。
【００３１】
これらにより、観賞用印画部分と額縁部分とが表面全体に一体的な連続形状で表出し、美術陶板に近い独特な光沢と柔らかな色調、更に自然な表面の風合いと独特な質感の額装品が形成される。
【００３２】
（基材板１）
基材板１は、額縁部分及び観賞用印画部分を含む大きさの板面を基材面として有したものであり、額装品の主基材を構成する。例えば、その表面に木目を有さないＭＤＦ材等の集成木材からなる。木目を有さない集成木材であると、温度変化等による反りや撓みが少ないため、経年劣化しにくい額装品となる。また陶板よりも比重の小さいものであれば、陶板より軽量な額装品となることで取り扱いやすいものとなる。
【００３３】
基材板１の表面であって印画紙３の貼合位置の部分に木目が表出しないものであれば、下地紙２を介して貼り合わせた印画紙３に木目が透けて移ることがなく、また貼り合わせによる暗色化も防ぐことができる。
【００３４】
（下地紙２）
下地紙２は基材板１の基材面と同大であるかこれよりも額縁部の幅分だけ一廻り小さいものであり、水性のりからなる接着剤ａによって基材板１の表面の全面又は額縁部分を除く大部分に貼り付けられる。
【００３５】
下地紙２の表面である下地面には、白系色又は同系色であり、凸部模様または凹凸部模様が施される。凸部模様または凹凸部模様は、壁紙やふすま紙の表面加工として施されるしぼ加工やエンボス加工、模様片を練りこんだものや接着で粒材を貼りつけたものが挙げられる。模様は下地面と同系色の或いは同一色あるいは無色透明であり、印画紙３が重ねられたときに、印画面へ、凹凸形状以外の色移りや模様移りをしないものが好ましい。
【００３６】
下地紙２として、市販の白系色の壁紙又はふすま紙を使用することができる。例えばオレフィン紙を裏紙とし、その上にエチレン−酢酸ビニル共重合体の樹脂層が、表面をアントス柄として形成された壁紙を使用することができる。白系色とすることで印画紙３の暗色化も防ぐことができる。
【００３７】
（印画紙３）
印画紙３は、表面に観賞用の印画面が施されたプリント紙であり、基材板１の表面よりも額縁部の幅分だけ一廻り小さいものである。具体的には、絵画・版画・写真等を印刷又は複写したものや、画像データをプリンターでプリントアウトしたもの、写真を印画したものが挙げられる。
【００３８】
印画紙３の貼合は、固形スティック糊からなる接着剤ａによって、前記下地紙２の表面へ貼り付け、その後にスキージーによって表面を押さえつけ、加圧しながら表面を撫でることによって行なう（貼合工程、図５（イ）（ウ））。これによって、下地紙２の凸模様または凹凸模様の表出形状に部分追従した微小膨出部３１が、印画紙３の表面側へ押し上げ形成される。
【００３９】
（内部塗膜４１）
内部塗膜４１は、額縁塗装部５の塗布背部、額縁塗装部５と印画紙３との境界部、及び印画紙３の印画面に亘って一体的に形成され、表層塗膜４２よりも内部に位置して、積層される表画部分における内部層の定着状態を保持する役割を果たす。
【００４０】
上記額装品の表面部分において、印画紙３の印画面では内部塗膜４１と表層塗膜４２とが隣接して積層形成され、額縁部分では両層（４１、４２）が額縁塗装部５を背表面それぞれの側から挟むようにして覆囲形成される。
【００４１】
内部塗膜４１は例えば、下地紙２と印画紙３の貼合時かつ額縁塗装部５の形成前の表面全体に亘って、下処理用のツヤ消し透明塗料を第一微細粒子として第一スプレーＳ１で数秒間の噴霧とその後の乾燥とを５〜６回繰り返すことで、１００〜５００μｍ程度の塗膜厚さとして得られる。
【００４２】
第一微細粒子の第一粒子径は、後述する表層塗膜４２よりも小さく、平均粒子径１０ないし３０μｍ程度の微細粒子である。この微細粒子によって比較的薄手の内部塗膜４１を、印画紙３の周縁をはじめ貼合後の表面全体に形成することで、下地紙２と印画紙３の貼合境界、或いは基材板１と下地板２の貼合境界のそれぞれを閉塞し、後の剥がれ落ちや他の塗装材の浸透を防ぐことができる。
【００４３】
また、印画面にはその後、ラッカー系の透明塗料によって表層塗膜を施すのであるが、印画面からこの透明塗料が染み込むと、印画紙が透過性を有し、印画の色が全体的に暗くなってしまう。そこで予め第一微細粒子を微量ずつ噴霧して、印画面を内部塗膜４１で保護することで、印画面の暗色化を防ぐこととしている。
【００４４】
その後に額縁塗装部を形成し、さらに額縁塗装部５から印画面に形成した内部塗膜の表面に亘って、表層塗膜を一体的に形成する。これにより、額装品の表面部分のうち、印画紙３の印画面では内部塗膜４１と表層塗膜４２とが隣接して積層形成され、額縁部分では両層（４１、４２）が額縁塗装部５を背表面それぞれの側から挟むようにして覆囲形成される。
【００４５】
（表層塗膜４２）
表層塗膜４２は、印画面からその周囲の表出面に及ぶ表面全体に亘って、最上部の表出形状に追従して一体的に形成される。
【００４６】
表層塗膜４２は印画紙の微小膨出部３１や額縁塗装部５の表出形状に追従して形成される、比較的厚手の塗膜である。具体的には例えば、ツヤ有りのラッカー系の透明塗料を前記第一微細粒子よりも大きな第二粒子として、第二スプレーＳ２で５００ないし１０００μｍ程度の塗膜厚さに噴霧し、その後乾燥させるというステップを３ないし５回繰り返す。この繰り返しの噴霧によって、陶版画のような風合いとなり、適度な質感と量感で、また色の淡さ、発色のやわらかさを特有のものとして得ることができる。
【００４７】
第二微細粒子の第二粒子径は、前述の内部塗膜４１よりも大きく、平均粒子径１００ないし３００μｍ程度の粒子である。第二粒子による比較的薄手の内部塗膜４１を、印画紙３の周縁をはじめ貼合後の表面全体に噴霧定着させることで、下地紙２と印画紙３の貼合境界、或いは基材板１と下地板２の貼合境界のそれぞれを閉塞し、後の剥がれ落ちや他の塗装材の浸透を防ぐことができる。
【００４８】
（塗膜の形成）
表層塗膜４２、内部塗膜４３、或いは印画紙保護皮膜のうち少なくともいずれかは、例えばツヤ有り透明塗料の噴霧及び乾燥の各ステップを順に数回繰り返すことによって形成される。また、マスキングＭを施した場合には、ツヤ有り透明塗料の噴霧によってマスキング跡が残らないように表面を一体的に仕上げることができる。
【００４９】
（額縁塗装部５）
額縁塗装部５は、塊状又は粒状の砂粒や石粒が練り込まれた塗料を塗装することによって、不定形大の砂石粒５１が不定形位置に塗色表出してなる。砂石粒子は任意の大きさで塊状又は粒状に凝塊してその凝塊形状が厚手の塗料と共にペインターＰによって刷毛塗りされて表出する（図３、図５（カ））。粗い自然岩や天然岩のような風合いが施される。例えばアクリル合成樹脂系の塗料を主剤として色調整し、そこに砂石粒５１表出用の砂石粒子を任意量混ぜたものを使用することができる。
【００５０】
このような額縁塗料を、ペインターＰの刷毛塗りによって厚手に塗装することで、自然な風合いの凹凸模様が形成され、さらにその上を表装塗膜４２でコーティングすることで、焼き物のような風合いと光沢、質感を得ることができる。
【００５１】
砂石粒子としては、蝦夷砂、硬質鹿沼土、鹿沼土、日光砂、選別鹿沼土、硬質赤玉土、寿印、赤玉土、芝の芽土・床土、黒土、腐葉土、ひゅうが土、桐生砂、焼赤玉土、軽石砂、富士砂、川砂、バーミキュライト、ピートモス、パーライト、けと土等が上げられる。実施例では例えば、粉砕した鹿沼土と小粒の富士砂とを混ぜている。
【００５２】
またこのほか、砂石粒子を含まないものとしても良く、意匠上、金色等の水性塗料を表面に塗布したものとしても良い。
【００５３】
（印画紙保護用の被膜４０）
下地紙２へ貼合される印画紙３には、予め（貼合前に）表裏面へ印画紙保護被膜４０が形成されたものとしてもよい。この印画紙保護被膜４０はたとえば、前記内部塗膜４１と同様の第一粒子径の第一微細粒子の噴霧定着によって形成される。この印画紙保護被膜４０を予め表裏面に形成することで、貼合による印画紙３の吸水による撓み、皺の表出、破れを防ぐことができる。ただしこの印画紙保護用の被膜４０は任意要素である。
【００５４】
（吊り金具等）
基材板１の側面及び裏面にもまた、額縁塗装部５の塗装が施される。裏面にはコルク等の固定台座６１を介在させて吊り金具６２を左右にひとつずつビス固定してなり、吊り金具６２に付属の三角形の吊り環へ吊り紐６３を繋いで壁等につるすことができるようにしてある（図２）。
【００５５】
〔製造方法〕
本発明の額装品は、下記各工程を順に具備することで製造される。
・貼合前の印画紙３の表裏面へ、第一粒子大以下に微細粒子化したツヤ消しの透明塗料を２回以上噴霧塗装することで印画紙保護用の被膜を形成する印画紙保護膜形成工程
・基材板１と下地紙２、下地紙２と印画紙３をそれぞれ接着剤で貼合する貼合工程
・貼合工程後の表面へ、第一粒子大に微細粒子化したツヤ消しの透明塗料を２回以上噴霧塗装することで内部塗膜４１を一体的に形成する内部塗膜形成工程
・塗膜形成工程後の印画面をマスキングしてマスキング縁より外側の額縁部を厚塗り塗装することで額縁塗装部５を形成する額縁塗装部形成工程
・額縁塗装部形成工程後にマスキングを解除した印画面からその周囲の額縁部の少なくとも表面部分に亘って、第一粒子大よりも大きな第二粒子大に微細粒子化したツヤ有り透明塗料を２回以上噴霧塗装することで、表層塗膜４２を一体的に形成する表層塗膜形成工程
さらに、Ｂ３サイズ以上の比較的大判の額装品の場合には、印画紙保護膜形成工程が有用となるが、これは任意の工程であり、比較的小さいサイズの額装品の場合には、印画紙保護膜形成工程を除いた貼合工程以降の工程からなる。
【００５６】
（印画紙保護膜形成工程）
印画紙保護膜形成工程は、Ｂ３サイズ以上の比較的大判の額装品の場合に、貼合工程の前工程として、貼合前の印画紙３の表裏面へ、第一粒子大以下に微細粒子化したツヤ消しの透明塗料を２回以上噴霧塗装することで印画紙保護用の被膜を形成する工程である。
【００５７】
（貼合工程）
貼合工程は、基材板１と下地紙２、下地紙２と印画紙３をそれぞれ接着剤で貼合する工程である（図５アイウ）。
【００５８】
（内部塗膜形成工程）
内部塗膜形成工程は、貼合工程後の表面へ、第一粒子径の大きさに微細粒子化したツヤ消しの透明塗料を、第一スプレーＰ１によって少なくとも２回以上、好ましくは５、６回まで、乾燥ステップを挟みながら微小量ずつに分けて噴霧塗装することで、比較的薄手の内部塗膜４１を一体的に形成する工程である（図５エ）。
【００５９】
（額縁塗装部形成工程）
額縁塗装部形成工程は、塗膜形成工程後の印画面をマスキング材Ｍでマスキングし、その後、マスキング縁より外側の額縁部を、ペインターＰによって刷毛塗りすることで厚手の額縁塗装部５を形成する工程である（図５オカ）。その後十分に乾燥させた後、マスキング材を剥がす（図５キ）。
【００６０】
（表層塗膜形成工程）
表層塗膜形成工程は、額縁塗装部形成工程後にマスキングを解除した印画面からその周囲の額縁部の少なくとも表面部分に亘って、第一粒子大よりも大きな第二粒子大に微細粒子化したツヤ有り透明塗料を２回以上噴霧塗装することで、表層塗膜４２を一体的に形成する表層塗膜形成工程である（図５ク）。
【００６１】
その他本発明は、上述した実施例に限定されるものではなく、本発明の本質を失わない範囲で上記各要素のいずれかを抽出し、他技術へ代替し、または大きさや範囲を変更したりすることができる。
【図面の簡単な説明】
【００６２】
【図１】本発明の実施例１の額装品の表面を斜め側方から見た表面斜視図。
【図２】実施例１の額装品の裏面を斜め側方から見た背面斜視図。
【図３】額縁部分を中心として断面構造を示す部分拡大断面図。
【図４】製造工程のうち貼合工程を説明する分解斜視図。
【図５】各製造工程を示す製造方法説明図。
【符号の説明】
【００６３】
１  基材板
２  下地紙
２１  凸模様または凹凸模様
３  印画紙
３１  微小膨出部
４１  内部塗膜
４２  表層塗膜
５  額縁塗装部
５１  砂石粒
６１  固定台座
６２  吊り金具
６３  吊り紐
ａ  接着剤
Ｍ  マスキング材
Ｓ１  第一スプレー
Ｓ２  第二スプレー
【図１】
2009273734.tif 000003
【図２】
2009273734.tif 000004
【図３】
2009273734.tif 000005
【図４】
2009273734.tif 000006
【図５】
2009273734.tif 000007